(57)【要約】【課題】培養、発生、生育の各工程において、適切な光照射を行うことで、培養期間を短縮し、収量を増加させて生産性を向上させる。【解決手段】冬虫夏草人工栽培用の培地に冬虫夏草の菌を接種して菌糸培養する際に、該培地に、５４０〜７２０ｎｍの波長域にピークを持つ光源により黄色若しくは赤色光を連続若しくは間欠的に照射して菌糸の繁殖及び熟成させ、菌糸培養の後、発生工程及び生育工程の際に、３００〜５５０ｎｍの波長域にピークを持つ光源により青色若しくは緑色の光を連続若しくは間欠的に照射する【選択図】なし【特許請求の範囲】
【請求項１】
冬虫夏草人工栽培用の培地に冬虫夏草の菌を接種して菌糸培養する際に、該培地に、５４０〜７２０ｎｍの波長域にピークをもつ着色蛍光灯からなる光源により光を照射し、該菌糸培養の後、発生工程の際に、３００〜５５０ｎｍの波長域にピークを持つ発光ダイオードからなる光源により光を照射し、該発生工程後の生育工程において、３００〜５５０ｎｍの波長域にピークを持つ発光ダイオードからなる光源により光を照射することを特徴としてなる冬虫夏草の栽培方法。
【請求項２】
発光ダイオードが、青、緑、赤、黄色、橙等の単色光の各発光ダイオードを適宜組み合わせて多数並べて設置された栽培棚を使用し、該発光ダイオードを単色或いは複数色の任意の組合で発光させることにより各工程中の光照射を行う請求項１に記載の冬虫夏草の栽培方法。
【発明の詳細な説明】
【技術分野】
【０００１】
本発明は、冬虫夏草の栽培において、その栽培経過に沿って有効な光波長を利用して生産性を向上させる冬虫夏草の栽培方法に関する。
【背景技術】
【０００２】
一般に、きのこの栽培においてきのこの品質の良否を決めるための要素として光が重要であることは既に知られており、従来の技術においては、培養、発生（芽だし）、生育の各工程において光の利用がされていた。
【０００３】
また、きのこに有効な光は青色域の光であることが知られているが、実際の栽培上においては、作業性や生産性におけるコストを考慮し、安価な白色蛍光灯を使用することが最も現実的であったため、一般的に白色蛍光灯がきのこ栽培に使用されていた。
【０００４】
一方、冬虫夏草の栽培においては、白色蛍光灯の効果は知られているが、その他の色の光が栽培へどのような影響を及ぼすかについての過去の試験報告は皆無であり、近年、工業的に生産が可能になった冬虫夏草において、より一層の最適な環境による栽培方法の開発が期待されていた。
【発明の開示】
【発明が解決しようとする課題】
【０００５】
しかし、冬虫夏草の培養において、白色蛍光灯を培養室の照明として用いたのでは菌糸が蔓延する前に冬虫夏草の発生がはじまり、その後の発芽、生育において不揃い、収量低下などの障害をもたらした。
【０００６】
さらに、発生及び生育工程においては、波長域が広い白色蛍光灯では、冬虫夏草に特有の発生のための促進効果の波長と抑制効果の波長が混在しているため、単色光に比べて発生効率が悪く生産性を低下させるような障害を生じるという問題があった。
【０００７】
本発明は，このような従来の問題に鑑み、培養、発生、生育の各工程において、適切な光照射を行うことで、培養期間を短縮し、収量を増加させて生産性を向上させることを目的としてなされたものである。
【課題を解決するための手段】
【０００８】
上述の如き従来の問題を解決し、所期の目的を達成するための請求項１に記載の冬虫夏草の栽培方法の特徴は、冬虫夏草人工栽培用の培地に冬虫夏草の菌を接種して菌糸培養する際に、該培地に、５４０〜７２０ｎｍの波長域にピークをもつ着色蛍光灯からなる光源により光を照射し、該菌糸培養の後、発生工程の際に、３００〜５５０ｎｍの波長域にピークを持つ発光ダイオードからなる光源により光を照射し、該発生工程後の生育工程において、３００〜５５０ｎｍの波長域にピークを持つ発光ダイオードからなる光源により光を照射することにある。
【０００９】
このように培養工程において、５４０〜７２０ｎｍの波長域にピークを持つ光源により黄色若しくは赤色光を連続若しくは間欠的に光照射を行うことで、培養あるいは熟成工程中での発芽を抑制し以後の栽培工程を安定的かつ高収率の栽培ができる。
【００１０】
尚、菌糸培養の後、発生工程の際に、３００〜５５０ｎｍの波長域にピークを持つ光源により青色若しくは緑色の光を連続若しくは間欠的に照射することによって発生が促進され、従来に比べて発生効率が良くなり、生産性が向上される。
【００１１】
また、発生工程後の生育工程において、３００〜５５０ｎｍの波長域にピークを持つ光源により青色若しくは緑色の光を連続若しくは間欠的に照射することにより生育での冬虫夏草の品質が向上され、収量を増加させることができる。
尚、菌糸培養の後、発生工程の際に、３００〜５５０ｎｍの波長域にピークを持つ光源により青色若しくは緑色の光を連続若しくは間欠的に照射することが好ましく、これによって発生が促進され、従来に比べて発生効率が良くなり、生産性が向上される。
【００１２】
また、本発明において使用する光源は、着色蛍光管でもある程度の目的を達成できるが、発光ダイオードを光源として利用することがより好ましく、これによって更に良好な結果を得ることができる。
【００１３】
更に、生育工程で照射する光の照度が、最大出力時に各部分において１００ｌｘ以内の照度差に収まるように発光ダイオードを配置させた栽培棚を使用することが好ましく、これによって棚全域に亘ってより均一な菌糸培養、子実体発生及び生育がなされることとなる。
【００１４】
更に、栽培棚に設置された発光ダイオードが、青、緑、赤、黄色、橙等の単色光の各発光ダイオードを適宜組み合わせて多数並べて設置し、該発光ダイオードを単色或いは複数色の任意の組合で発光させることが好ましく、単色ごとに適宜に発光させれば品質の仕上げの微調整が可能になり、一層品質を向上させる事ができる。
【発明の効果】
【００１５】
本発明に係る冬虫夏草の栽培方法によれば、きのこあるいは冬虫夏草の栽培工程において各工程で有効に働く波長の光を適宜に照射することで、冬虫夏草の栽培の生産性を向上させることができ、培養において菌糸の繁殖を助長し、発芽工程では、発生量を増加させ、生育工程では収穫量を増収させる効果が得られる。
【００１６】
更に、光源に発光ダイオードを使用すれば、蛍光灯に比べて小型で分散して設置できるため栽培ビンに対して均一な光照射が可能になる、光源が小型になるためより一層の集約的な栽培が可能である、光源がほぼ短波長なので必要な波長の光を効率よく照射する事ができる、光源の発熱がほとんど無いので、発熱がある蛍光灯に比べて栽培室の空調機の稼動時間が減りエネルギーロスが低下する、蛍光灯に比べて使用電気量が１割で済むのでランニングコストが低減する、半永久的に使用できるので蛍光管ほど交換が必要なくそのため蛍光管のような廃棄物も発生しない等の効果が得られる。
【発明を実施するための最良の形態】
【００１７】
次に本発明に係る冬虫夏草の栽培方法をハナサナギタケを例にあげて具体的に説明をする。尚、本発明はこれに限定されるものでなく、他のイザリア属、コルディセプス属等にも同様に有効である。また、細部の手法等において本発明の精神を逸脱しない範囲で任意に変更が可能である。
【００１８】
冬虫夏草の培養試験（菌糸伸長の比較）
冬虫夏草の菌糸培養時に、菌糸伸長に及ぼす各色の光照射の影響を試験した。
【００１９】
ポテトデキストロース上に冬虫夏草の菌（ハナサナギタケ菌）を接種し、１週間後の伸長を測定した。結果を第１表に示す。光源は発光ダイオード及び白色蛍光灯を使用した。
2006204310.tif 000002
【００２０】
対照例及び実施例１〜４について以下の如くそれぞれ栽培を行った。各例における光照射と収穫状況をまとめると第２表の如くである。
【００２１】
対照例
培養工程時には白色蛍光灯を使用し、作業者が入室する時のみ点灯した。発生工程時には白色蛍光灯を光源として使用し、５０ｌｘ（単位ルックス）にて常時点灯した。生育工程時には白色蛍光灯を光源として使用し、５００〜２０００ｌｘの照度で１５分間点灯、４５分間消灯の間欠的に光を照射した。
【００２２】
収穫量は６．３ｇ/培地５０ｇであり、菌糸蔓延前の発生があった。
【００２３】
実施例１
培養工程時には黄色着色蛍光灯（波長５７０ｎｍにピークを持つ）と赤色着色蛍光灯（波長６６０ｎｍにピークを持つ）とを使用し、作業者が入室する時のみ点灯した。発生工程時には白色蛍光灯を光源として使用し、５０ｌｘにて常時点灯した。生育工程時には白色蛍光灯を光源として使用し、５００〜２０００ｌｘの照度で１５分間点灯、４５分間消灯の間欠的に光を照射した。
【００２４】
収穫量は、黄色蛍光灯培養区では７．２ｇ／培地５０ｇ、赤色蛍光灯培養区では７．５／培地５０ｇであり、菌糸蔓延前の発生はなかった。
【００２５】
実施例２
培養工程時には黄色着色蛍光灯（波長５７０ｎｍにピークを持つ）と赤色着色蛍光灯（波長６６０ｎｍにピークを持つ）とを使用し、５０ｌｘ以下の照度で常時点灯した。発生工程時には白色蛍光灯を光源として使用し、５０ｌｘにて常時点灯した。生育工程時には白色蛍光灯を光源として使用し、５００〜２０００ｌｘの照度で１５分間点灯、４５分間消灯の間欠的に光を照射した。
【００２６】
収穫量は、黄色蛍光灯培養区では７．８ｇ／培地５０ｇ、赤色蛍光灯培養区では７．７／培地５０ｇであり、菌糸蔓延前の発生はなく、対照例より培養基間が２日間短かった。
【００２７】
実施例３
培養工程時には黄色着色蛍光灯（波長５７０ｎｍにピークを持つ）を使用し、５０ｌｘ以下の照度で常時点灯した。発生工程時には発光ダイオードを光源とし、青色（波長４６０ｎｍにピークを持つ）及び緑色（波長５２０ｎｍにピークを持つ）の光を、１０ｌｘ以下の照度で常時点灯した。生育工程時には白色蛍光灯を光源として使用し、５００〜２０００ｌｘの照度で１５分間点灯、４５分間消灯の間欠的に光を照射した。
【００２８】
収穫量は、青色発光ダイオード発生区では８．２ｇ／培地５０ｇ、緑色発光ダイオード発生区では８．５／培地５０ｇであり、菌糸蔓延前の発生はなかった。
【００２９】
実施例４
培養工程時には黄色着色蛍光灯（波長５７０ｎｍにピークを持つ）を使用し、５０ｌｘ以下の照度で常時点灯した。発生工程時には発光ダイオードを光源とし、緑色（波長５２０ｎｍにピークを持つ）の光を、１０ｌｘ以下の照度で常時点灯した。生育工程時には発光ダイオードを光源とし、青色（波長４６０ｎｍにピークを持つ）及び緑色（波長５２０ｎｍにピークを持つ）の光を、１０ｌｘ以下の照度で常時点灯した。
【００３０】
収穫量は、青色発光ダイオード発生区では８．４ｇ／培地５０ｇ、緑色発光ダイオード発生区では８．５／培地５０ｇであり、菌糸蔓延前の発生はなかった。
2006204310.tif 000003
【００３１】
使用装置
次に、上述した各実施例において使用した栽培棚を、図面について説明する。
【００３２】
図中１はパイプを柱及び横材として組み立てた栽培棚である。これには多段配置に栽培瓶載置用棚２，２……が設けられ、格段毎に所定数の平箱状の培地入り容器（コンテナ）３が複数並べて載置できるようになっている。
【００３３】
各棚２上には、下向きに光源支持ボード５が固定され、各ボード５に発光体である発光ダイオード６，６……が固定され、各棚全域の培地表面に対する生育時に置ける照射光の照度差が１００ｌｘなるように発光体を配置させて固定している。
【００３４】
発光体として発光ダイオードを使用したものは、青、緑、赤、黄色、橙の各単色光発光ダイオード６，６……を複数個ずつ組み合わせて多数設置し、各色毎に別々に点灯可能で且つ光量調節可能にしておき、単一色又は複数色の合成からなる照射光を適宜選択して使用できるようにしている。
【００３５】
これによって適切な時期に適切な波長の光で適切な照射量を栽培中のきのこに与えることを可能としている。
【図面の簡単な説明】
【００３６】
【図１】本発明に使用する栽培棚の一例の側面図である。
【図２】図１中のＡ−Ａ線断面図である。
【図３】多数の発光ダイオードを光源として支持させた光源支持ボードの低面図である。
【符号の説明】
【００３７】
１  栽培棚
２  栽培瓶載置用棚
３  培地入り容器
５  光源支持ボード
６  発光ダイオード
【図１】
2006204310.tif 000004
【図２】
2006204310.tif 000005
【図３】
2006204310.tif 000006